(57)【要約】      （修正有）【課題】長期間にわたって美的外観を損ねることなく横臥者の寝心地を向上させ続けることができるマットレスを提供する。【解決手段】本考案では、左右端縁部の端縁領域１２と、横臥者の主に頭部が位置する頭部領域１４と、上半身が位置する上半身領域１５と、腰部が位置する腰部領域１６と、下半身が位置する下半身領域１７と、足先が位置する足先領域１８にそれぞれスプリング４〜９を収容し、腰部領域１６に収容したスプリング７の硬さよりも頭部及び上半身領域１４，１５並びに下半身及び足先領域１７，１８に収容したスプリング５，６，８，９の硬さを柔らかくするとともに、腰部領域１６に収容したスプリング７の硬さよりも端縁領域１２に収容したスプリング４の硬さを同一又は硬くする。【選択図】図２
0003167272.tif 000002
【実用新案登録請求の範囲】
【請求項１】
左右端縁部の端縁領域と、横臥者の主に頭部が位置する頭部領域と、上半身が位置する上半身領域と、腰部が位置する腰部領域と、下半身が位置する下半身領域と、足先が位置する足先領域にそれぞれスプリングを収容し、腰部領域に収容したスプリングの硬さよりも頭部及び上半身領域並びに下半身及び足先領域に収容したスプリングの硬さを柔らかくするとともに、腰部領域に収容したスプリングの硬さよりも端縁領域に収容したスプリングの硬さを同一又は硬くしたことを特徴とするマットレス。
【請求項２】
前記頭部及び足先領域に収容したスプリングの硬さを上半身及び下半身領域に収容したスプリングの硬さよりも硬くしたことを特徴とする請求項１に記載のマットレス。
【請求項３】
前記全ての領域に線径の異なる同一外径のスプリングを複数個隣接させて収容したことを特徴とする請求項１又は請求項２に記載のマットレス。
【考案の詳細な説明】
【技術分野】
【０００１】
本考案は、マットレスに関するものである。
【背景技術】
【０００２】
ベッド等で使用されるマットレスは、矩形箱型袋状の外装材の内部に上下に伸縮する複数個のスプリングを収容して構成している。
【０００３】
そして、従来より、横臥者の寝心地を向上させるために、縦長矩形板状のマットレスを横臥者の主に上半身が位置する上半身領域と腰部が位置する腰部領域と下半身が位置する下半身領域とに前後に区画し、腰部領域に収容したスプリングの硬さよりも上半身及び下半身領域に収容したスプリングの硬さを柔らかくしたものがある（たとえば、特許文献１参照。）。
【先行技術文献】
【特許文献】
【０００４】
【特許文献１】特開２００４−１２１５１５号公報
【考案の概要】
【考案が解決しようとする課題】
【０００５】
ところが、上記従来のマットレスでは、上半身領域や下半身領域の左右端縁部分までもが腰部領域に比べて柔らかくなっているために、マットレスへの昇降時に頻繁に使用者の体重によって左右端縁部分が押圧されることで、左右端縁部分が他の部分に比べてへこんだ型崩れ状態となり、横臥者の寝心地を阻害するばかりか、外観上も美観を損ねるものであった。
【課題を解決するための手段】
【０００６】
そこで、請求項１に係る本考案では、マットレスにおいて、左右端縁部の端縁領域と、横臥者の主に頭部が位置する頭部領域と、上半身が位置する上半身領域と、腰部が位置する腰部領域と、下半身が位置する下半身領域と、足先が位置する足先領域にそれぞれスプリングを収容し、腰部領域に収容したスプリングの硬さよりも頭部及び上半身領域並びに下半身及び足先領域に収容したスプリングの硬さを柔らかくするとともに、腰部領域に収容したスプリングの硬さよりも端縁領域に収容したスプリングの硬さを同一又は硬くすることにした。
【０００７】
また、請求項２に係る本考案では、前記請求項１に係る本考案において、前記頭部及び足先領域に収容したスプリングの硬さを上半身及び下半身領域に収容したスプリングの硬さよりも硬くすることにした。
【０００８】
また、請求項３に係る本考案では、前記請求項１又は請求項２に係る本考案において、前記全ての領域に線径の異なる同一外径のスプリングを複数個隣接させて収容することにした。
【考案の効果】
【０００９】
そして、本考案では、以下に記載する効果を奏する。
【００１０】
すなわち、本考案では、マットレスにおいて、左右端縁部の端縁領域と、横臥者の主に頭部が位置する頭部領域と、上半身が位置する上半身領域と、腰部が位置する腰部領域と、下半身が位置する下半身領域と、足先が位置する足先領域にそれぞれスプリングを収容し、腰部領域に収容したスプリングの硬さよりも頭部及び上半身領域並びに下半身及び足先領域に収容したスプリングの硬さを柔らかくするとともに、腰部領域に収容したスプリングの硬さよりも端縁領域に収容したスプリングの硬さを同一又は硬くすることにしているために、マットレスの左右端縁部分がへこんで型崩れしてしまうのを防止することができ、長期間にわたって美的外観を損ねることなく横臥者の寝心地を向上させ続けることができる。
【００１１】
特に、頭部及び足先領域に収容したスプリングの硬さを上半身及び下半身領域に収容したスプリングの硬さよりも硬くした場合には、マットレスの上下端縁部分がへこんで型崩れしてしまうのを防止することができ、これによっても、長期間にわたって美的外観を損ねることなく横臥者の寝心地を向上させ続けることができる。
【００１２】
また、全ての領域に線径の異なる同一外径のスプリングを複数個隣接させて収容した場合には、各領域の内部で個々のスプリングが傾倒してしまうのを防止することができ、より一層長期間にわたって美的外観を損ねることなく横臥者の寝心地を向上させ続けることができる。
【図面の簡単な説明】
【００１３】
【図１】本考案に係るマットレスを示す平面説明図。
【図２】同平面断面説明図（ａ）、側面断面説明図（ｂ）。
【考案を実施するための形態】
【００１４】
以下に、本考案に係るマットレスの具体的な構成について図面を参照しながら説明する。
【００１５】
図１及び図２に示すように、マットレス１は、矩形箱型袋状の外装材２の内部に複数枚のクッション材を積層して形成した上側クッション層３と、複数個のスプリング4〜9で形成したスプリング層10と、複数枚のクッション材を積層して形成した下側クッション層11とで構成している。
【００１６】
このマットレス１は、平面視で左右端縁部の端縁領域12と、左右の端縁領域12の間で主に使用者が横臥する横臥領域13とに仮想的に区画し、さらに、横臥領域13は、横臥者の主に頭部が位置する頭部領域14と、横臥者の主に上半身が位置する上半身領域15と、横臥者の主に腰部が位置する腰部領域16と、横臥者の主に下半身が位置する下半身領域17と、横臥者の主に足先が位置する足先領域18とに仮想的に区画している。
【００１７】
そして、マットレス１は、左右の端縁領域12、頭部領域14、上半身領域15、腰部領域16、下半身領域17、足先領域18にそれぞれスプリング4〜9を収容している。なお、各スプリング4〜9は、筒型状の袋の内部に収容してポケットコイルを構成している。
【００１８】
ここで、左右の端縁領域12及び腰部領域16に収容したスプリング4,7は、線径1.3mmで外径41mm及び高さ180mmの提燈型バネを用い、頭部領域14及び足先領域18に収容したスプリング5,9は、線径1.2mmで外径41mm及び高さ180mmの提燈型バネを用い、上半身領域15及び下半身領域17に収容したスプリング6,8は、線径1.0mmで外径41mm及び高さ180mmの提燈型バネを用いている。
【００１９】
これにより、マットレス１は、左右の端縁領域12及び腰部領域16に収容したスプリング4,7の硬さが最も硬く、次に、頭部領域14及び足先領域18に収容したスプリング5,9の硬さが硬く、上半身領域15及び下半身領域17に収容したスプリング6,8の硬さが最も柔らかくなるようにしている。
【００２０】
また、マットレス１は、全ての領域12,13（14〜18）に収容したスプリング4〜９の外径を同一にして、複数個のスプリング4〜9を密接に隣接させた状態で平行に整列させている。
【００２１】
以上に説明したように、マットレス１は、左右端縁部の端縁領域12と、横臥者の主に頭部が位置する頭部領域14と、上半身が位置する上半身領域15と、腰部が位置する腰部領域16と、下半身が位置する下半身領域17と、足先が位置する足先領域18にそれぞれスプリング4〜9を収容し、腰部領域16に収容したスプリング７の硬さよりも頭部及び上半身領域14,15並びに下半身及び足先領域17,18に収容したスプリング5,6,8,9の硬さを柔らかくするとともに、腰部領域16に収容したスプリング７の硬さよりも端縁領域12に収容したスプリング４の硬さを同一又は硬くなるように構成している。
【００２２】
そのため、上記構成のマットレス１では、マットレス１の左右端縁部分がへこんで型崩れしてしまうのを防止することができ、長期間にわたって美的外観を損ねることなく横臥者の寝心地を向上させ続けることができる。
【００２３】
また、上記マットレス１は、頭部及び足先領域14,18に収容したスプリング5,9の硬さを上半身及び下半身領域15,17に収容したスプリング6,8の硬さよりも硬くなるように構成している。
【００２４】
そのため、上記構成のマットレス１では、マットレス１の上下端縁部分がへこんで型崩れしてしまうのを防止することができ、これによっても、長期間にわたって美的外観を損ねることなく横臥者の寝心地を向上させ続けることができる。
【００２５】
さらに、上記マットレス１は、全ての領域12,14〜18に線径の異なる同一外径のスプリング4〜9を複数個隣接させて収容した構成としている。
【００２６】
そのため、上記構成のマットレス１では、各領域12,14〜18の内部で個々のスプリング4〜9が傾倒してしまうのを防止することができ、より一層長期間にわたって美的外観を損ねることなく横臥者の寝心地を向上させ続けることができる。
【符号の説明】
【００２７】
１  マットレス                        ２  外装材
３  上側クッション層                  4〜9  スプリング
10  スプリング層                      11  下側クッション層
12  端縁領域                          13  横臥領域
14  頭部領域                          15  上半身領域
16  腰部領域                          17  下半身領域
18  足先領域
【図１】
0003167272.tif 000003
【図２】
0003167272.tif 000004